(57)【要約】【課題】従来、全く再利用せずに新品と交換していたメインフィルタ部材についてもメンテナンスが行えて再利用を可能とし、メンテナンス洗浄作業にも配慮したプレ・メイン一体型フィルタ装置を提供することを目的とする。【解決手段】枠部材を略方形状に枠組みして枠体を形成し、枠体の開口部内には、山状谷状のジグザグ繰り返し折り構造に折り曲げて構成したプレフィルタ部材及びメインフィルタ部材を取り付けてなり、プレフィルタ部材は、谷状底部に非接着部材分を形成して接着部材により対向する箇所が接着され、メインフィルタ部材は、シート状フィルタ材料の表面側及び裏面側の双方に、かつメインフィルタ部材の上下方向に間隔をあけて補強リブが複数形成されてなり、枠体を構成する下側枠部材には、プレフィルタ部材とメインフィルタ部材との間に設けられた空間と連通する長孔状水抜き孔が穿設された、ことを特徴とする。【選択図】図１
2010058038.tif 000002
【特許請求の範囲】
【請求項１】
所定の幅を有する枠部材を略方形状に枠組みして表裏面に貫通する開口部を有する枠体を形成し、
該枠体の開口部内には、表面側となる上流側に、シート状フィルタ材料について前記枠体の幅より狭小な幅で、山状谷状のジグザグ繰り返し折り構造に折り曲げて構成したプレフィルタ部材を前記ジグザグ繰り返し折り構造の方向が水平方向となるよう取り付け、
裏面側となる下流側には、前記プレフィルタ部材から所定の空間をあけ、シート状フィルタ材料について前記プレフィルタ部材の幅より狭小な幅で、かつ前記プレフィルタ部材及び所定の空間と共に、前記枠体の幅内に収まる幅にして、山状谷状のジグザグ繰り返し折り構造に折り曲げて構成したメインフィルタ部材を前記ジグザグ繰り返し折り構造の方向が水平方向となるよう取り付けてなり、
前記プレフィルタ部材は、前記山状谷状のジグザグ繰り返し折り構造のジグザグ方向に向かい、前記シート状フィルタ材料の表面側及び裏面側の双方に、かつプレフィルタ部材の上下方向に間隔をあけて、前記谷状底部に非接着部材分を形成して接着部材により対向する箇所が接着され、
前記メインフィルタ部材は、前記山状谷状のジグザグ繰り返し折り構造のジグザグ方向に向かい、かつ前記シート状フィルタ材料の表面側及び裏面側の双方に、かつメインフィルタ部材の上下方向に間隔をあけて補強リブが複数形成されてなり、
前記枠体を構成する下側枠部材には、プレフィルタ部材とメインフィルタ部材との間に設けられた空間と連通する長孔状水抜き孔が穿設された、
ことを特徴とするプレ・メイン一体型フィルタ装置。
【請求項２】
前記プレフィルタ部材は、１μｍから１０００μｍの粒子径からなる粉塵を捕集するフィルタ材料を使用し、前記メインフィルタ部材は、０．３μｍから５０μｍの粒子径からなる粉塵を捕集するフィルタ材料を使用した、
ことを特徴とする請求項１記載のプレ・メイン一体型フィルタ装置。
【請求項３】
前記フィルタ部材は、合成樹脂材料から構成されている、
ことを特徴とする請求項１または請求項２記載のプレ・メイン一体型フィルタ装置。
【請求項４】
前記プレフィルタ部材は、前記シート状フィルタ材料を二重に重ね合わせて、山状谷状のジグザグ繰り返し折り構造に折り曲げて構成した、
ことを特徴とする請求項１、請求項２または請求項３記載のプレ・メイン一体型フィルタ装置。
【発明の詳細な説明】
【技術分野】
【０００１】
本発明は、例えば、オフィスビルやマンションさらには一般家庭など空調設備などにも取り付けることが出来、もって外気の塵や埃あるいは花粉などを確実に、かつ短期間の取り替えを必要とせず、しかも比較的長期間に亘り、洗浄メンテナンスをも必要とすることなく使用することが可能なプレ・メイン一体型フィルタ装置に関するものである。
【背景技術】
【０００２】
従来、オフィスビルやマンションなどに設置されるいわゆる大型をなす空調設備、さらには一般家庭で使用される空調設備などに、フィルタ装置が取り付けられて使用されており、このフィルタ装置により、外気の塵や埃あるいは花粉などが確実に捕集され、前記空調設備の安全、快適な運用が企図されている。
ここで、従来のオフィスビルやマンションなどで使用されるフィルタ装置としては、通常、塵や埃など比較的大きな粒子、例えば１０μｍ以上の粒子からなる塵や埃を捕集するフィルタ部材と、車の排気ガスやタバコの煙など比較的小さな粒子からなるもの、例えば０．３μｍ以上の粒子である塵や埃を捕集するフィルタ部材との２種類からなるフィルタ部材を用いた、いわゆるプレ・メイン一体型フィルタ装置が一般に知られている。
【０００３】
すなわち、通常、オフィス用のフィルタ装置としては、粗塵用のいわゆるプレフィルタとメインのいわゆる中性能フィルタ（メインフィルタ）とで構成し、前者のプレフィルタ部材は、例えば２ヶ月に一度洗浄・再使用するよう構成し、後者のメインフィルタ部材は、洗浄・再使用することなく、例えば１年毎に新品に取り替える構造のものが一般的なフィルタ装置のスタイルとなっていたのである。
この様に、空調設備を取り扱う業界あるいはフィルタ洗浄を取り扱う業界においては、フィルタ部材とは、プレフィルタ部材あるいはメインフィルタ部材の双方においても短期間に使い捨てる部材としての認識で統一されていたのである。
【０００４】
しかるに、環境保護意識が近年急速に、かつ国際的に高まる中、いわゆる地球資源をどれだけ有効活用するかは、企業評価の有力な基準になりつつあり、特に、空調設備では、高効率設備の導入と共に、消耗品であるフィルタ部材の消費量抑制もニーズとして急速に要求されてきている実情がある。
そこで、特に、いわゆるプレフィルタといわゆるメインフィルタとを一体化したフィルタ装置においても、プレフィルタ部材のメンテナンス期間を大幅に伸ばし、またメインフィルタ部材についてもメンテナンスを行って再利用するとの要請が高まってきている。
【０００５】
この様に、フィルタ部材を簡単に使い捨てすることなく、洗浄して再利用するサイクルを延ばすことが出来れば、大幅な省資源化に繋がり、また、いわゆるフィルタ装置のメンテナンスの手間・コストもきわめて安価に、効率的に抑えられるものとなる。
しかも、使い切ったフィルタ部材は、例えば、資源循環を企図したいわゆるガス化改質施設で再資源化（サーマルリサイクル）できる。
特に、オフィスや商業店舗と異なり、２４時間空調設備が稼働するホテルでは、一般よりも早く空調設備におけるフィルタ部材の稼働時間を消費する。
【０００６】
さらに、ホテル業界において、セキュリティー強化のため空調設備点検やメンテナンスのための外注業者の受け入れ回数は極力減らしたいのが実情である。ホテル側にとって、フィルタ部材の交換洗浄のために、短期間となる二ヶ月に一度、メンテ業者がホテルの建物に入ることはあまり歓迎されないのである。
【０００７】
また、例えば施設内で合計１００台の空調機が設置されていると仮定すると、従来のメインフィルタ部材をメンテナンスしないときには、当該メインフィルタ部材が１年間で概算して１２００枚も廃棄処分される計算になる。プレフィルタについては、２〜３ヶ月に一度は取り替えられるごとく交換頻度が高く、これら逐一取り替えるための人件費も見逃せないコスト高となっていたである。
【特許文献１】特開２００１−１７０４２３号公報
【発明の開示】
【発明が解決しようとする課題】
【０００８】
かくして、本発明は、上記従来の課題に対処すべく創案されたものであり、プレ・メイン一体型フィルタ装置において、プレフィルタ部材の洗浄メンテナンス期間を大幅に伸ばすと共に、従来、全く再利用せずに新品と交換していたメインフィルタ部材についてもメンテナンスが行えて再利用を可能とし、さらには再利用のために行われる前記メンテナンス洗浄作業にも配慮したプレ・メイン一体型フィルタ装置を提供することを目的とするものである。
【課題を解決するための手段】
【０００９】
本発明によるプレ・メイン一体型フィルタ装置は、
所定の幅を有する枠部材を略方形状に枠組みして表裏面に貫通する開口部を有する枠体を形成し、
該枠体の開口部内には、表面側となる上流側に、シート状フィルタ材料について前記枠体の幅より狭小な幅で、山状谷状のジグザグ繰り返し折り構造に折り曲げて構成したプレフィルタ部材を前記ジグザグ繰り返し折り構造の方向が水平方向となるよう取り付け、
裏面側となる下流側には、前記プレフィルタ部材から所定の空間をあけ、シート状フィルタ材料について前記プレフィルタ部材の幅より狭小な幅で、かつ前記プレフィルタ部材と共に、前記枠体の幅内に収まる幅にして、山状谷状のジグザグ繰り返し折り構造に折り曲げて構成したメインフィルタ部材を前記ジグザグ繰り返し折り構造の方向が水平方向となるよう取り付けてなり、
前記プレフィルタ部材は、前記山状谷状のジグザグ繰り返し折り構造のジグザグ方向に向かい、前記シート状フィルタ材料の表面側及び裏面側の双方に、かつプレフィルタ部材の上下方向に間隔をあけて、前記谷状底部に非接着部材分を形成して接着部材により対向する箇所が接着され、
前記メインフィルタ部材は、前記山状谷状のジグザグ繰り返し折り構造のジグザグ方向に向かい、かつ前記シート状フィルタ材料の表面側及び裏面側の双方に、かつメインフィルタ部材の上下方向に間隔をあけて補強リブが複数形成されてなり、
前記枠体を構成する下側枠部材には、プレフィルタ部材とメインフィルタ部材との間に設けられた空間と連通する長孔状水抜き孔が穿設された、
ことを特徴とし、
または、
前記プレフィルタ部材は、１μｍから１０００μｍの粒子径からなる粉塵を捕集するフィルタ材料を使用し、前記メインフィルタ部材は、０．３μｍから５０μｍの粒子径からなる粉塵を捕集するフィルタ材料を使用した、
ことを特徴とし、
または、
前記フィルタ部材は、合成樹脂材料から構成されている、
ことを特徴とし、
または、
前記プレフィルタ部材は、前記シート状フィルタ材料を二重に重ね合わせて、山状谷状のジグザグ繰り返し折り構造に折り曲げて構成した、
ことを特徴とするものである。
【発明の効果】
【００１０】
本発明によるプレ・メイン一体型フィルタ装置であれば、プレフィルタ部材の洗浄メンテナンス期間を大幅に伸ばすと共に、従来、全く再利用せずに新品と交換していたメインフィルタ部材についてもメンテナンスが行えて再利用を可能とし、さらには再利用のために行われる前記メンテナンス洗浄作業にも配慮できるとの優れた効果を奏する。
【発明を実施するための最良の形態】
【００１１】
以下、本発明に係るプレ・メイン一体型フィルタ装置１につき図を参照して説明する。
【００１２】
該プレ・メイン一体型フィルタ装置１は、まず、方形状に枠組みされた枠体３を有する。
枠体３は、所定の幅を有する枠部材２を、例えば下側枠部材、両側枠部材、上側枠部材の４枚を使用し、前述したように略方形状に枠組みして表裏面に貫通する開口部を有するよう形成される。
【００１３】
ここで、各枠部材２の材質は、何ら限定されるものではないが、いわゆる再資源化に対応する部材であることが好ましく、例えばＰＥＴ（ポリエチレンテレフタレート）などの再生チップ材等を使用することが好ましい。
【００１４】
そして、該枠体３の開口部内には、表面側に、換言すれば空気の導入側となる上流側に、シート状フィルタ材料について、前記枠体３の幅より狭小な幅で形成され、山状谷状のジグザグ繰り返し折り構造に折り曲げて構成したプレフィルタ部材４を、前記ジグザグ繰り返し折り構造の方向が水平方向となるよう取り付けられるものとなる。
【００１５】
次に、裏面側、換言すれば空気の排出側となる下流側には、前記プレフィルタ部材４から所定の空間１５をあけて、前記プレフィルタ部材４の幅より狭小な幅にして、かつ前記プレフィルタ部材４及び前記空間１５と共に、前記枠体３の幅内に収まる幅に形成し、山状谷状のジグザグ繰り返し折り構造に折り曲げて構成したメインフィルタ部材１６を前記ジグザグ繰り返し折り構造の方向が水平方向となるよう取り付けて構成される。
【００１６】
さらに、前記プレフィルタ部材４は、前記山状谷状のジグザグ繰り返し折り構造のジグザグ方向に向かい、前記シート状フィルタ材料の表面側及び裏面側の双方に、かつプレフィルタ部材４の上下方向に向かい所定の間隔をあけて、前記谷状底部５に非接着部材分を形成して接着部材１４により対向する箇所が接着され、前述した山状谷状のジグザグ繰り返し折り構造が伸縮しないよう一定の長さで固定されるものとなる。
該谷状底部５に非接着部材分を形成した理由は、該谷状底部５の非接着部分は、後述する洗浄メンテナンスの際の洗浄水通過路として機能させるためである。これにより洗浄メンテナンスの効率も向上し、またフィルタ部材４の必要以上の損傷を押さえることが出来るものとなる。
【００１７】
また、前記メインフィルタ部材１６は、前記山状谷状のジグザグ繰り返し折り構造のジグザグ方向に向かい、かつ前記シート状フィルタ材料の表面側及び裏面側の双方に、かつメインフィルタ部材１６の上下方向に間隔をあけて補強リブ１７・・・・が複数形成されている。
【００１８】
この補強リブ１７は、前記シート状フィルタ材料の表面及び裏面から相互に押圧して凸条に盛り上げ、もってリブ状に形成したものである。
【００１９】
図から理解されるように、補強リブ１７の長手方向、は前記山状谷状のジグザグ繰り返し折り構造のジグザグ方向に向かっており、かつ凸条に盛り上がる方向は、表面側、裏面側と互い違いにして構成してある。該補強リブ１７の形成は、メインフィルタ部材１６の強度向上のためであるが、それだけではなく、補強リブ１７を大量に形成することにより、シート状フィルタ材料の表面積を広げ、それによりフィルタ処理面積を広くするとのねらいもある。
ここで、プレフィルタ部材４及びメインフィルタ部材１６に使用されるシート状フィルタ材料について述べると、該シート状フィルタ材料には一般に合成繊維が使用される。そして、かかる合成繊維の材質としては、一般的にポリプロピレン、ポリエステル、ポリアミド（ナイロン）がある。また、その他にビニロン、綿なども使われることがある。
【００２０】
これらについては、それぞれに材質上の特徴があり、その特性に応じて各方面に使用される。そして、その用途を誤るとフィルタ材料としての性能を損なうのみでなく、フィルタ材料の寿命やフィルタ性能に大きな影響を与えるものとなる。
また、本発明によるシート状フィルタ材料は、１０μｍ以上の粒子からなる塵や埃を捕集するタイプ、車の排気ガスやタバコの煙など比較的小さな粒子からなるもの、例えば０．３μｍ以上の粒子である塵や埃を捕集するタイプがある。
【００２１】
本発明においては、プレフィルタ部材４については、比較的粗い粉塵が捕集出来るよう、１０μｍ以上の粒子からなる塵や埃を捕集するタイプのフィルタ材料が使用される。また、メインフィルタ部材１６については、車の排気ガスやタバコの煙など比較的小さな粒子からなるもの、例えば０．３μｍ以上の粒子である塵や埃を捕集するタイプのフィルタ材料が使用される。
すなわち、前記プレフィルタ部材４は、１μｍから１０００μｍの粒子径からなる粉塵を捕集するフィルタ材料が使用され、前記メインフィルタ部材１６は、０．３μｍから５０μｍの粒子径からなる粉塵を捕集するフィルタ材料が使用される。
【００２２】
次に、プレフィルタ部材４に使用されるシート状フィルタ材料は、山状谷状のジグザグ繰り返し折り構造の状態に折り畳まれ、略方形状の形状に構成される。
かかる構成にする手法については、何らの手法や方法に限定されるものではなく、機械的な方法で構成してもよく、また手作業で行っても構わない。
【００２３】
しかしながら、シート状フィルタ材料を山状谷状のジグザグ繰り返し折り構造の状態に折りたたんだときの長さが、前記方形状に枠組みした枠体３の幅方向に収まるような長さにしなければならない。
そして、該略方形状をなすフィルタ部材４は水平方向（左右方向）に向かいジグザグ繰り返し折り構造が連続するよう、かつ若干延び縮み出来るようにあらかじめ配置される。
【００２４】
次に、その状態から、あるいは平面シート状にのばした状態から、上下方向に対し、所定の間隔をあけて接着部材１４を水平方向、すなわちジグザグ繰り返し折り構造の連続する方向に向けて塗布する。
この塗布操作は、上下方向に向かい所定の間隔をあけて複数箇所で行われる。そして、この塗布は、前記フィルタ部材４の表面側及び裏面側の双方で行われる。
すると、図に示すように、シート状フィルタ材料からなるフィルタ部材４は、山状谷状のジグザグ繰り返し折り部分が各々密着した構造の状態に折り畳まれ、略方形状の形状に形成されるものとなる。
【００２５】
ところで、接着部材１４の塗布は、谷状底部５の箇所については行われず、非接着部分とされる。そして、該谷状底部５の非接着部分は、後述する洗浄メンテナンスの際の洗浄水通過路として機能することになる。
これにより洗浄メンテナンスの効率も向上し、またプレフィルタ部材４の必要以上の損傷を押さえることが出来る。
【００２６】
ところで、図に示すように、シート状フィルタ材料を２枚使用し、この２枚のシート状フィルタ材料を二重に重ね合わせて、山状谷状のジグザグ繰り返し折り構造に折り曲げて構成しても構わない。
この場合、同じ素材のシート状フィルタ材料、すなわち、粒子径が１μｍから１０００μｍまでを捕集できるタイプの素材で構成したシート状フィルタ材料を２枚重ねて使用することも考えられる。
【００２７】
しかし、同じ素材を使用したとしても、それらを２枚重ね合わせて使用する結果、１μｍより小さい粒子径の粉塵をも捕集できるものとなる。
さらに、前記二重に重ね合わす２枚のシート状フィルタ材料について、導入側（上流側）のシート状フィルタ材料を、粒子の大きい粉塵が補集できるタイプに、送出側（下流側）のシート状フィルタ材料を、導入側と比較して粒子の小さい粉塵をも補集できるタイプに配置しても構わない。
【００２８】
次に、メインフィルタ部材１６に使用されるシート状フィルタ材料について説明する。
当該メインフィルタ部材１６についても山状谷状のジグザグ繰り返し折り構造の状態に折り畳まれ、略方形状の形状に構成される。
かかる折り畳む手法についても何ら限定されるものではなく、機械的な方法で構成してもよく、また手作業で行っても構わない。
しかしながら、シート状フィルタ材料を山状谷状のジグザグ繰り返し折り構造の状態に折りたたんだときの長さが、プレフィルタ部材４と同様に前記方形状に枠組みした枠体３の幅方向に収まるようにしなければならない。
【００２９】
しかし、後述するように、メインフィルタ部材１６は、接着部材１４により折り畳み面を相互に接着することはしない。いわゆる空気の上流側に設置されるプレフィルタ部材４については、前述したように、折り畳み面を相互に接着して強度を向上させる必要があるが、メインフィルタ部材１６は、空気の下流側に設置され、しかもプレフィルタ部材４に保護されるため、折り畳み面相互を接着して強度を向上させる必要性に乏しいからである。
そして、折り畳んだ状態で略方形状に構成されたメインフィルタ部材１６は水平方向（左右方向）に向かいジグザグ繰り返し折り構造が連続するよう、かつ若干延び縮み出来るようにあらかじめ配置される。
【００３０】
なお、このメインフィルタ部材１６には、前述したように、その表裏面側に複数の連続した補強リブ１７・・・・が設けられ、ジグザグ繰り返し折り構造に折り畳まれたシート状フィルタ材料の強度向上が企図されている。
そして、図に示すように、シート状フィルタ材料からなるメインフィルタ部材１６は、山状谷状のジグザグ繰り返し折り部分が各々密接した構造の状態に折り畳まれており、略方形状の形状に形成されるものとなる。
【００３１】
ところで、空気の下流側に設置されるメインフィルタ部材１６は、その折り畳み面が接着されていないため、後述する洗浄メンテナンスの際に、奥の方に位置する、いわゆる谷底部５の洗浄が簡単にでき、これにより洗浄メンテナンスの効率も向上し、またメインフィルタ部材１６の必要以上の損傷をも押さえることが出来るのである。
【００３２】
なお、前述のように、空気の上流側に設置されるプレフィルタ部材４と、空気の下流側に設置されるメインフィルタ部材１６との間には、所定の空間１５が設置されている。
この空間１５が設けられることにより、プレフィルタ部材４を通過した比較的小さい粒子径の粉塵が、メインフィルタ部材１６を通過できずに、この空間１５内に留まることになる。すなわち、多くの比較的小さい粒子径の粉塵はメインフィルタ部材１６の空間１５側の面にくっついた状態で捕集されるのである。  
【００３３】
そして、後述するが、洗浄メンテナンスのとき、当該空間１５内には、前記メインフィルタ部材１６を通過できず、捕集された粉塵が溜まる。そして、この溜まった粉塵は、洗浄水と共に、前記枠体３を構成する下側の枠部材２に穿設され、設けられた長孔状水抜き孔１８から外部へ送出されるものとなる。
すなわち、プレフィルタ部材４とメインフィルタ部材１６との間に設けられた空間１５と前記長孔状水抜き孔１８は連通して構成されているのである。
【００３４】
ここで、本発明により構成されたプレ・メイン一体型フィルタ装置１は、その使用により短期間の間に新品に交換しなければならなかったり、短期間にメンテナンスを行わなければならなかったりすることがない。
従来は数ヶ月の間に新品に交換せざるを得なかったり、数ヶ月の間に洗浄メンテナンスを行わなければならなかった。
ちなみに、従来型のフィルタ装置は、その初期圧力損失が１９０パスカルであったのに対し、本発明によるプレ・メイン一体型フィルタ装置１は、前述したプレフィルタ部材４及びメインフィルタ部材１６の構造を採用することにより１１０パスカル以下という低数値を実現したものである。
【００３５】
従って、本発明によるプレ・メイン一体型フィルタ装置１は、少なくとも１年間に一度の洗浄メンテナンスを行えばよいものとされている。しかも３回の洗浄メンテナンスに耐えられるよう設計されているのである。
すなわち、本発明のプレ・メイン一体型フィルタ装置１につき、その使用開始からカウントすると一度の購入で、最長４年間（運転時間では１万２千時間）使い続けられることになる。
【００３６】
そして、本発明によるプレ・メイン一体型フィルタ装置１の洗浄後の圧損回復を試験データでみてみると、２回目の洗浄後に計測した圧力損失値が９０パスカルのものが、その後の１年間の使用によって粉塵負荷後フィルタ圧力損失値が２６５パスカルとなった。
その後、３回目（最終）の洗浄をしたとき、洗浄後は９３パスカルとなり、２回目の洗浄後に計測した圧力損失値が９０パスカルとほとんど変わらない値となっているのである。この様に、本発明のプレ・メイン一体型フィルタ装置１では、複数回の洗浄メンテナンスに充分耐えられることが理解できる。
【００３７】
特に、オフィスや商業店舗と異なり、２４時間空調が稼働するホテルでは、一般よりも早くフィルタ装置の運転時間を消費するので本発明によるプレ・メイン一体型フィルタ装置１の使用はきわめて好ましいといえる。
【００３８】
さらに、ホテル側においては、セキュリティー強化のため外注業者の受け入れ回数を減らしたいと考えており、フィルタ部材の交換や洗浄のために２ヶ月に一度、メンテ業者が建物に入ることはあまり歓迎されないのである。その面からも本発明によるプレ・メイン一体型フィルタ装置１の使用はきわめて好ましいものである。
【００３９】
次に、本発明によるプレ・メイン一体型フィルタ装置１の洗浄システムにつき説明する。
例えば、１年間の長期に亘って使用されたプレ・メイン一体型フィルタ装置１は、メンテナンスのために洗浄される。
【００４０】
まず、本発明の洗浄のシステムとしては、まず、図から理解されるように、空気洗浄機６に投入される。
該空気洗浄機６内では、粉塵を捕集しているメインフィルタ部材１６の下流面に向かい高圧エア７を例えばパルス状に送出しながら、例えば起電器８による振動を併用して、粉塵９を、いわゆる空間１５内に排出させる。
【００４１】
次に、いわゆる真空脱気システムを通過させる。すなわち、洗浄性を高めるために、プレ・メイン一体型フィルタ装置１内のプレフィルタ部材４及びメインフィルタ部材１６に捕集されている粉塵９の周囲に残留している空気と洗浄水を置換すべく、真空脱気槽１０で脱気するのである。
続いて、超音波洗浄が行われる。
【００４２】
超音波によるエアフィルタ洗浄は、これまで１つの周波数を使って、動かしながら洗浄するのが主流だったが、本発明では、プレフィルタ部材４やメインフィルタ部材１６を動かさず、ムダ・ムラ・ムリのない洗浄を実現するために、３つの周波数を高速で切り替えるシステムを導入している。すなわち、図から理解されるように、超音波発振子１１を切り替え、図に示すような３種類の周波数によって異なる水流を発生させ、それにより効率的な洗浄を行うのである。
【００４３】
さらに、シャワー１２による洗浄が行われる。高圧ポンプ１３によってシャワー１２の水流を生じさせ、該シャワー１２の水流によって、フィルタの上流面あるいは下流面からプレフィルタ部材４及びメインフィルタ部材１６の内部を通過させて粉塵９を洗い出すのである。
【００４４】
その際、前述したプレフィルタ部材４の非接着部である複数箇所の谷折り底部分５が洗浄水通過路となって、比較的容易に洗浄水が流れだし、もって効率的な洗浄が出来ると共に、メインフィルタ部材１６はその折り畳み面同士を全く接着していないため、プレフィルタ部材４及びメインフィルタ部材１６へのダメージを与えることがない。
【００４５】
なお、メインフィルタ部材１６の空間１５側の面に密接した粉塵は洗い流されて空間１５内に落ち、それらは前記した長孔状水抜き孔１８からスムーズに外部へ送出されるものとなる。
【００４６】
そして、この長孔状水抜き孔１８にはシールによりふさがれ、次の洗浄メンテナンスまで蓋がされ、閉じられる。
該シールには、洗浄回数がチェックできるようになっており、このチェックにより何回目の洗浄かが簡単に把握できるように構成されている。
【図面の簡単な説明】
【００４７】
【図１】本発明に係るプレ・メイン一体型フィルタ装置の構成説明図（その１）である。
【図２】本発明に係るプレ・メイン一体型フィルタ装置の構成説明図（その２）である。
【図３】本発明に係るプレ・メイン一体型フィルタ装置の構成説明図（その３）である。
【図４】本発明に係るプレ・メイン一体型フィルタ部材の構成説明図（その１）である。
【図５】本発明に係るプレ・メイン一体型フィルタ部材の構成説明図（その２）である。
【図６】本発明に係るプレ・メイン一体型フィルタ部材の構成説明図（その３）である。
【図７】長孔状水抜き孔の構成を説明する構成説明図（その１）である。
【図８】長孔状水抜き孔の構成を説明する構成説明図（その２）である。
【図９】メインフィルタ部材に設けられた補強リブの状態を説明する構成説明図である。
【図１０】本発明に係る洗浄システムを説明する説明図（その１）である。
【図１１】本発明に係る洗浄システムを説明する説明図（その２）である。
【符号の説明】
【００４８】
１      プレ・メインフィルタ装置
２      枠部材
３      枠体
４      プレフィルタ部材
５      谷状底部
６      空気清浄機
７      高圧エア
８      起電器
９      粉塵
１１    超音波発振子
１２    シャワー
１３    高圧ポンプ
１４    接着部材
１５    空間
１６    メインフィルタ部材
１７    補強リブ
１８    長孔状水抜き孔
【図１】
2010058038.tif 000003
【図２】
2010058038.tif 000004
【図３】
2010058038.tif 000005
【図４】
2010058038.tif 000006
【図５】
2010058038.tif 000007
【図６】
2010058038.tif 000008
【図７】
2010058038.tif 000009
【図８】
2010058038.tif 000010
【図９】
2010058038.tif 000011
【図１０】
2010058038.tif 000012
【図１１】
2010058038.tif 000013